(57)【特許請求の範囲】
【請求項１】
ロール紙に印刷を行う印刷装置であって、
前記ロール紙が収納されるロール紙ホルダーと、
前記ロール紙ホルダーに前記ロール紙を投入可能なロール紙投入口と、
前記ロール紙投入口を開閉する開閉蓋ユニットと、
前記開閉蓋ユニットと前記ロール紙ホルダーとを連動させるリンク部材と、
ガイド溝が形成されたフレームと、
前記ガイド溝に沿って移動する移動軸と、
前記ガイド溝に設けられた突起と、を有し、
前記ロール紙ホルダーは、前記リンク部材によって移動可能であり、前記開閉蓋ユニットが開位置に移動するとき、前記ロール紙投入口から前記ロール紙を取り出し可能な取り出し位置に移動し、前記開閉蓋ユニットが閉位置に移動するとき、前記取り出し位置よりも前記ロール紙投入口の奥側に移動した収納位置に移動し、
前記移動軸は、前記ロール紙ホルダーと前記リンク部材との連結部に設けられ、
前記ロール紙ホルダーは、前記移動軸が前記ガイド溝内の第１位置にあるとき、前記取り出し位置に位置し、前記移動軸が前記ガイド溝内の第２位置にあるとき、前記収納位置に位置し、
前記突起は、前記第１位置と前記第２位置との間の位置である第３位置で前記移動軸を保持する
ことを特徴とする印刷装置。
【請求項２】
前記リンク部材は、
前記移動軸が前記ガイド溝内の前記第３位置にあるとき、
前記開閉蓋ユニットを前記開位置および前記閉位置の間の保持位置で支持することを特徴とする請求項１に記載の印刷装置。
【請求項３】
前記移動軸は、前記開閉蓋ユニットが前記保持位置から前記閉位置に向けて移動開始するとき、前記ガイド溝に形成された前記突起を乗り越えることを特徴とする請求項２に記載の印刷装置。
【請求項４】
前記ロール紙投入口が上方を向く第１設置姿勢、および、前記ロール紙投入口が前方を向く第２設置姿勢で設置可能であり、
前記開閉蓋ユニットは、
前記第１設置姿勢では、下端を中心として前後方向に開閉し、
前記第２設置姿勢では、後端を中心として上下方向に開閉することを特徴とする請求項１ないし３のいずれかの項に記載の印刷装置。
【発明の詳細な説明】
【技術分野】
【０００１】
本発明は、ロール紙投入口の開閉蓋を開けてロール紙ホルダーに保持されたロール紙の交換を行う印刷装置に関する。
【背景技術】
【０００２】
長尺の記録紙を巻いたロール紙をロール紙ホルダーに装填し、ロール紙から記録紙を引き出して印刷するロール紙プリンター（印刷装置）では、印刷機構やロール紙ホルダー等を収容するプリンターケースにロール紙投入口が設けられている。ロール紙の交換を行うときは、ロール紙投入口の開閉蓋を開けてロール紙ホルダーからロール紙を取り出し、新たなロール紙を投入する。開閉蓋は、プラテンローラー等を搭載する開閉蓋ユニットに搭載されているので、開閉蓋を開けることでロール紙ホルダーが開放状態になり、ロール紙の交換が可能になる。特許文献１には、この種のロール紙プリンターが開示されている。
【先行技術文献】
【特許文献】
【０００３】
【特許文献１】特開２０００−２８９２７２号公報
【発明の概要】
【発明が解決しようとする課題】
【０００４】
ここで、ロール紙投入口が装置前面に開口していて、開閉蓋を開けるとロール紙ホルダーからロール紙が前方に転がり出てくる構成の場合には、ロール紙を交換するときに、ユーザーがロール紙ホルダーに手を入れてロール紙を取り出す必要がない。しかしながら、ロール紙投入口が装置上面に開口している場合には、ロール紙を交換するときに、ロール紙ホルダーの底部に載っているロール紙を取り出すために、ロール紙ホルダーに手を入れる大きいスペースが必要になる。従って、ロール紙ホルダーを大型にする必要があり、印刷装置（プリンター）の小型化に不利になってしまう。
【０００５】
本発明の課題は、このような点に鑑みて、ロール紙の出し入れを小さいスペースで行うことができ、ロール紙の交換時の作業性の維持と、装置の小型化とを両立できる印刷装置を提案することにある。
【課題を解決するための手段】
【０００６】
上記の課題を解決するために、本発明は、ロール紙に印刷を行う印刷装置であって、前記ロール紙が収納されるロール紙ホルダーと、前記ロール紙ホルダーに前記ロール紙を投入可能なロール紙投入口と、前記ロール紙投入口を開閉する開閉蓋ユニットと、前記開閉蓋ユニットと前記ロール紙ホルダーとを連動させるリンク部材と、を有し、前記ロール紙ホルダーは、前記リンク部材によって、前記ロール紙投入口から前記ロール紙を取り出し可能な取り出し位置と、前記取り出し位置よりも前記ロール紙投入口の奥側に移動した収納位置と、に移動可能であることを特徴とする。
【０００７】
本発明では、このように、ロール紙投入口を開閉する開閉蓋ユニットに連動して、ロール紙ホルダーがロール紙投入口の奥側の収納位置から、ロール紙を取り出し可能な取り出し位置に移動する。従って、ロール紙を取り出すために、ロール紙ホルダーに手を入れる大きいスペースを設ける必要がなく、ロール紙の出し入れを小さいスペースで行うことができる。よって、ロール紙の交換時の作業性を維持しながら、装置を小型化することができる。
【０００８】
本発明において、前記リンク部材は、前記開閉蓋ユニットが開位置に移動するとき、前記ロール紙ホルダーを前記取り出し位置に移動させ、前記開閉蓋ユニットが閉位置に移動するとき、前記ロール紙ホルダーを前記収納位置に移動させることが望ましい。このようにすると、開閉蓋が開くときにロール紙ホルダーを取り出し位置に移動させることができる。従って、ロール紙の交換時の作業性が高まる。
【０００９】
本発明において、ガイド溝が形成されたフレームと、前記ガイド溝に沿って移動する移動軸と、を有し、前記移動軸は、前記ロール紙ホルダーと前記リンク部材との連結部に設けられ、前記移動軸が前記ガイド溝内の第１位置にあるとき、前記ロール紙ホルダーが前記取り出し位置に位置し、前記移動軸が前記ガイド溝内の第２位置にあるとき、前記ロール紙ホルダーが前記収納位置に位置することが望ましい。このように、フレームに形成した溝でガイドしながら、ロール紙ホルダーとリンク部材の両方に連結された移動軸を動かす機構を用いているので、単純で省スペースな機構によって、開閉蓋ユニットとロール紙ホルダーとを連動させることができる。従って、小型化に有利である。
【００１０】
本発明において、前記リンク部材は、前記移動軸が前記ガイド溝内の前記第１位置にあるとき、前記開閉蓋ユニットを前記開位置で支持し、前記移動軸が前記ガイド溝内の前記第２位置にあるとき、前記開閉蓋ユニットを前記閉位置で支持することが望ましい。このようにすると、ロール紙ホルダーを取り出し位置に移動させたとき、開閉蓋ユニットを開位置で支持できる。従って、ロール紙の交換時の作業性が高まる。
【００１１】
本発明において、前記ガイド溝は突起を備え、前記突起は、前記第１位置と前記第２位置との間の位置である第３位置で前記移動軸を保持することが望ましい。このようにすると、開閉蓋ユニットを開けた状態で、ロール紙ホルダーを取り出し位置で保持できる。特に、ロール紙投入口が上方を向く姿勢で設置されている場合に、ロール紙ホルダーにロール紙の荷重がかかっていてもロール紙ホルダーを取り出し位置あるいはその近傍で保持できる。従って、ロール紙の交換時の作業性が高まる。
【００１２】
本発明において、前記リンク部材は、前記移動軸が前記ガイド溝内の前記第３位置にあるとき、前記開閉蓋ユニットを前記開位置および前記閉位置の間の保持位置で支持することが望ましい。このようにすると、開閉蓋ユニットが開位置と閉位置の間の保持位置で保持された状態を維持できる。従って、ロール紙の交換時の作業性が高まる。
【００１３】
本発明において、前記移動軸は、前記開閉蓋ユニットが前記保持位置から前記閉位置に向けて移動開始するとき、前記ガイド溝に形成された前記突起を乗り越えることが望ましい。このようにすると、ロール紙の交換を終えたとき、開閉蓋ユニットを閉じる動作を行うだけで、ロール紙ホルダーを取り出し位置で保持した状態を解除できる。
【００１４】
本発明において、前記ロール紙投入口が上方を向く第１設置姿勢、および、前記ロール紙投入口が前方を向く第２設置姿勢で設置可能であり、前記開閉蓋ユニットは、前記第１設置姿勢では、下端を中心として前後方向に開閉し、前記第２設置姿勢では、後端を中心として上下方向に開閉する。このようにすると、第１設置姿勢ではロール紙を上側に取り出すことができ、第２設置姿勢ではロール紙を前側に取り出すことができる。従って、設置場所の状況に合わせた姿勢で印刷装置を設置でき、利便性が高い。また、ロール紙投入口が上方と前方のどちら側に開いている場合でも、ロール紙を取り出すために、ロール紙ホルダーに手を入れる大きいスペースを設ける必要がない。従って、ロール紙の出し入れを小さいスペースで行うことができる。よって、ロール紙の交換時の作業性を維持しながら、装置を小型化することができる。
【図面の簡単な説明】
【００１５】
【図１】本発明を適用したロール紙プリンターを示す外観斜視図である。
【図２】ロール紙プリンターの内部構造を示す縦断面図（閉位置）である。
【図３】ロール紙プリンターの内部構造を示す縦断面図（開位置）である。
【図４】ロール紙プリンターの内部構造を示す縦断面図（閉じ動作の途中の位置）である。
【発明を実施するための形態】
【００１６】
以下に、図面を参照して、本発明をロール紙プリンターに適用した実施の形態を説明する。
【００１７】
（全体構成）
図１は本発明を適用したロール紙プリンターを示す外観斜視図である。以下、本明細書において、相互に直交する３方向をＸ方向、Ｙ方向、Ｚ方向とする。図１に示すＸＹＺの３方向は、矢印の向きが＋方向（正方向）、矢印の向きとは逆向きが−方向（負方向）を示す。ロール紙プリンター１（印刷装置）は、その使用状態において、水平な平面であるＸＹ面に配置される。ロール紙プリンター１は、長尺の記録紙１１（図２参照）をロール状に巻いたロール紙１２（図２参照）を装填して、ロール紙１２から繰り出した記録紙１１に印刷する。
【００１８】
ロール紙プリンター１は、全体として直方体形状をしたプリンターケース２を備える。プリンターケース２は、記録紙排出口３が形成された第１面２１を備える。図１（ａ）に示す設置状態では、第１面２１は上方（＋Ｚ方向）を向いており、記録紙排出口３は、第１面２１の前端側（＋Ｙ方向側）の縁に位置する。このように、記録紙排出口３がプリンターケース２の上面の前端側（ユーザーから見て手前側）に位置するように設置する姿勢が、ロール紙プリンター１の第１設置姿勢１Ａである。プリンターケース２は、第１設置姿勢１Ａで底面（−Ｚ方向の面）を構成する第２面２２と、第１設置姿勢１Ａで正面（＋Ｙ方向の面）を構成する第３面２３と、第１設置姿勢１Ａで背面（−Ｙ方向の面）を構成する第４面２４と、第１設置姿勢１Ａで幅方向の一方の面（＋Ｘ方向の面）を構成する第５面２５と、第１設置姿勢１Ａで幅方向の他方の面（−Ｘ方向の面）を構成する第６面２６を備える。
【００１９】
一方、図１（ｂ）に示す設置状態では、ロール紙プリンター１の第１面２１は前方（＋Ｙ方向）を向いており、記録紙排出口３はロール紙プリンター１の前面に配置される。この姿勢が、ロール紙プリンター１の第２設置姿勢１Ｂである。第２設置姿勢１Ｂでは、第２面２２は背面（−Ｙ方向の面）を構成し、第３面２３は上面（＋Ｚ方向の面）を構成し、第４面２４は底面（−Ｚ方向の面）を構成する。第５面２５と第６面２６は、第１設置姿勢１Ａと同様に、幅方向の一方の面（＋Ｘ方向の面）、および幅方向の他方の面（−Ｘ方向の面）を構成する。
【００２０】
以下、ロール紙プリンター１が図１（ａ）に示す第１設置姿勢１Ａで設置されているものとして、ロール紙プリンター１の第１面２１と第３面２３の構成を説明する。
【００２１】
プリンターケース２の第１面２１には、ロール紙１２の出し入れ等を行う矩形のロール紙投入口４が形成されている。第１面２１は、ロール紙投入口４を塞ぐ開閉蓋５と、ロール紙投入口４の＋Ｙ方向の縁に沿って延在する前端部６を備える。開閉蓋５は、図１（ａ）に示す閉位置５Ａと、その後端（−Ｙ方向の端部）を中心として上方（＋Ｚ方向）に立ち上がった開位置５Ｂ（図３参照）に移動可能である。開閉蓋５が閉位置５Ａにある状態で、開閉蓋５と前端部６との間に、Ｘ方向に延在するスリット状の記録紙排出口３が形成される。開閉蓋５は、記録紙排出口３の幅方向の一方側（＋Ｘ方向側）に位置する開閉レバー７を備える。開閉レバー７に指を掛けて上方に引くと、不図示のロックが解除される。これにより、開閉蓋５を上方に開けることが可能になる。
【００２２】
開閉蓋５の後方側（−Ｙ方向側）の角部には、電源スイッチ等の操作部８が設けられている。また、第１面２１の前端部６は、斜め上向き前方に傾斜する傾斜面（＋Ｙ方向および＋Ｚ方向を向く傾斜面）を備えており、この傾斜面に表示部９が設けられている。表示部９は、ロール紙プリンター１の動作状態などの各種の表示を行う。表示部９は、第１面２１と繋がる第３面２３の上端部分に沿って延在する。第３面２３の上端部分には、その幅方向の一方側（＋Ｘ方向側）に、ユーザーが持つ携帯端末等に搭載されたＮＦＣチップから非接触で情報を読み取るためのＮＦＣ通信部１０が配置されている。ロール紙プリンター１は、ＮＦＣ通信部１０で読み取った情報に基づき、印刷を行うことができる。
【００２３】
ロール紙プリンター１は、図１（ａ）に示す第１設置姿勢１Ａで設置すると、記録紙排出口３、表示部９、およびＮＦＣ通信部１０の全てが、装置上面と装置前面とが繋がる角部に集約される。つまり、ユーザーから見て手前側でアクセスが容易な位置に、記録紙排出口３、表示部９、およびＮＦＣ通信部１０の全てが集約されて配置される。また、図１（ｂ）に示す第２設置姿勢１Ｂで設置した場合も、記録紙排出口３、表示部９、およびＮＦＣ通信部１０の全てが、装置上面と装置前面とが繋がる角部に集約される。図１（ａ）に示す第１設置姿勢１Ａは、記録紙排出口３を備える第１面２１が装置上面となり、印刷済みの記録紙１１を装置上面から上方（＋Ｚ方向）に排出することができる姿勢である。一方、図１（ｂ）に示す第２設置姿勢１Ｂは、記録紙排出口３を備える第１面２１が装置前面となり、印刷済みの記録紙１１を装置前面から前方（＋Ｙ方向）に排出することができる姿勢である。このように、ロール紙プリンター１は、設置場所の環境に応じて、記録紙１１の取り出し方向を、上方と前方の２つの方向にすることができる。そして、どちらの姿勢で設置しても、操作時の利便性を損なわない構成になっている。
【００２４】
また、図１（ａ）に示す第１設置姿勢１Ａでは、開閉蓋５は、上述したように後端を中心として上方（＋Ｚ方向）に開くようになっており、ロール紙投入口４は上方に向けて開口する。従って、ロール紙１２の交換作業は、上方からロール紙１２を取り出し、上方からロール紙１２を投入して行う。一方、図１（ｂ）に示す第２設置姿勢１Ｂでは、開閉蓋５は、下端を中心として前方（＋Ｙ方向）に開く。そして、ロール紙投入口４は前方に向けて開口する。従って、ロール紙１２の交換作業は、前方からロール紙１２を取り出し、前方からロール紙１２を投入して行うことができる。従って、どちらの姿勢で設置しても、ロール紙１２の交換作業を容易に行うことが可能である。
【００２５】
（内部構造）
図２、図３はロール紙プリンター１の内部構造を示す縦断面図であり、図２は開閉蓋５を閉じた状態、図３は開閉蓋５を開けた状態を示す。図２、図３は、ロール紙プリンター１が図１（ａ）に示す第１設置姿勢１Ａで設置されている状態を示す。プリンターケース２の内部には、記録紙排出口３の近傍で記録紙１１を切断する記録紙切断機構３０が配置されている。また、記録紙切断機構３０の下側には、プラテンローラー３１および印刷ヘッド３２が配置されている。プラテンローラー３１は、開閉蓋５を裏側（−Ｚ方向側）から支持するプラテン支持フレーム３３に搭載される。開閉蓋５、記録紙切断機構３０、プラテンローラー３１等の機構は、プラテン支持フレーム３３と一体になって開閉される開閉蓋ユニット３４を構成する。開閉蓋ユニット３４が閉位置３４Ａに位置するとき、開閉蓋５は閉位置５Ａに位置する。また、開閉蓋ユニット３４が開位置３４Ｂに位置するとき、開閉蓋５が開位置５Ｂに位置する。
【００２６】
開閉蓋ユニット３４の下側には、ロール紙収納部４０が配置されている。ロール紙収納部４０は、ロール紙１２を収容するロール紙ホルダー４１を備える。ロール紙ホルダー４１は、Ｙ方向の中央部が−Ｚ方向に凹んでおり、この凹部が第１面２１のロール紙投入口４に面する。図３に示すように開閉蓋ユニット３４を開けると、ロール紙投入口４からロール紙ホルダー４１にロール紙１２を出し入れ可能となる。投入されたロール紙１２は、ロール紙ホルダー４１の底部に転動可能な状態で載って保持される。
【００２７】
ロール紙ホルダー４１の前端（＋Ｙ方向の端部）は上方（＋Ｚ方向）に立ち上がっており、その上端の上に、従動ローラーである繰り出しローラー３５が配置されている。ロール紙１２から繰り出された記録紙１１は、繰り出しローラー３５に掛けられた後、プラテン支持フレーム３３の下端に設けられた紙案内部３６に掛け渡される。記録紙１１は、紙案内部３６からプラテンローラー３１と印刷ヘッド３２の間を通るようにセットされ、記録紙切断機構３０を経由して、記録紙排出口３からプリンターケース２の上方に引き出される。紙案内部３６は斜め下向きに突出しているので、繰り出しローラー３５と紙案内部３６を経由する搬送経路は、上側に凸となる形状に湾曲している。この湾曲経路に沿った位置に、紙検出レバー３７が配置されている。紙検出レバー３７は、上向きに凸となるように湾曲した状態で搬送される記録紙１１に下側（湾曲形状の内側）から接触して、記録紙１１を検出する。
【００２８】
（開閉蓋ユニットとロール紙ホルダーとを連動させる機構）
ロール紙ホルダー４１の後端（−Ｙ方向の端部）は上方（＋Ｚ方向）に立ち上がっており、その幅方向（Ｘ方向）の両端部にそれぞれ、ガイドピン４２（移動軸）が形成されている。ガイドピン４２は、ロール紙ホルダー４１の幅方向の外側に向けて突出する軸状の部材である。ロール紙ホルダー４１の幅方向の両側には、第５面、第６面の裏側（内側）にそれぞれ、固定フレーム４３が配置されている。これら一対の固定フレーム４３の後方（−Ｙ方向）の部分には、それぞれ、上下方向（Ｚ方向）に延在するガイド溝４４が形成されている。ロール紙ホルダー４１は、幅方向の両側で突出するガイドピン４２が、それぞれ、固定フレーム４３のガイド溝４４に挿入した状態となるように装着される。ガイドピン４２がガイド溝４４に案内されて上下方向に移動すると、ロール紙ホルダー４１が全体として上下方向に移動する。
【００２９】
ロール紙ホルダー４１と、ロール紙ホルダー４１の幅方向（Ｘ方向）の外側に配置されている固定フレーム４３との隙間には、リンク部材５０が配置されている。リンク部材５０の一端（下端）には長孔５１が形成されている。長孔５１には、ロール紙ホルダー４１のガイドピン４２が挿通されている。リンク部材５０は、長孔５１とガイドピン４２とが係合することによって、ロール紙ホルダー４１に連結されている。また、リンク部材５０の他端（上端）は、プラテン支持フレーム３３の前後方向（Ｙ方向）の略中央に連結されている。リンク部材５０とプラテン支持フレーム３３との連結部はピン接点５２になっている。ロール紙ホルダー４１の幅方向の両側に配置された一対のリンク部材５０は、プラテン支持フレーム３３との連結部であるピン接点５２を介して、開閉蓋ユニット３４を支持するリンク機構を構成する。また、リンク部材５０は、長孔５１に係合するガイドピン４２を介してロール紙ホルダー４１に連結されているので、リンク部材５０を介して、ロール紙ホルダー４１と開閉蓋ユニット３４とを連動させることができる。
【００３０】
図２に示すように、開閉蓋５が閉位置５Ａで、開閉蓋ユニット３４が閉位置３４Ａの状態では、リンク部材５０は、略水平なプラテン支持フレーム３３の略中央に位置するピン接点５２から、斜め後方に向かって下側に延びる傾斜姿勢になっており、この姿勢で開閉蓋ユニット３４を支持している。この状態では、リンク部材５０の長孔５１に係合されたガイドピン４２は、ガイド溝４４の下端側の下端位置４２Ａ（第２位置）に位置している。そして、ガイドピン４２が形成されたロール紙ホルダー４１は、ロール紙投入口４よりもプリンターケース２の底部に近い収納位置４１Ａに位置している。
【００３１】
図２の状態から、開閉蓋５を上方（＋Ｚ方向）に開ける動作を行うと、開閉蓋５とプラテン支持フレーム３３が一体になって上方に回動する。これにより、リンク部材５０は、プラテン支持フレーム３３と共に上昇しながら、上方に回動して立ち上がるが、このとき、リンク部材５０の下端部は、ガイド溝４４に係合されたガイドピン４２を介して、ガイド溝４４に沿って案内されながら上昇する。開閉蓋５が開位置５Ｂに到達し、開閉蓋ユニット３４が開位置３４Ｂに到達すると、図３に示すように、プラテン支持フレーム３３および開閉蓋５がＺ方向に延在する縦向きの姿勢になる。そして、リンク部材５０はその上端がわずかに斜め後方に傾いた姿勢になる。この状態では、ガイドピン４２は、ガイド溝４４の上端に近い上端位置４２Ｂ（第１位置）まで上昇する。そして、ロール紙ホルダー４１は、収納位置４１Ａよりもロール紙投入口４に近い取り出し位置４１Ｂまで上昇する。
【００３２】
図４はロール紙プリンター１の内部構造を示す縦断面図であり、開閉蓋ユニット３４が閉じ動作の途中の位置にある状態を示す。ガイド溝４４は、ガイドピン４２を下端位置４２Ａと上端位置４２Ｂの間の中間位置４２Ｃ（第３位置）で係合して保持する係合突起４５（係合部）を備える。中間位置４２Ｃは、上端位置４２Ｂの近傍の位置である。係合突起４５は、ガイド溝４４の後方（−Ｙ方向）の縁から＋Ｙ方向に突出する。係合突起４５の上方（＋Ｚ方向）の縁は、略水平に延在する保持面４６を備える。ガイド溝４４は、係合突起４５よりも上方の部分が斜め後方に屈曲している。このため、ガイドピン４２は、ガイド溝４４に沿ってその上端へ移動するとき、係合突起４５を乗り越えて上端位置４２Ｂまで移動する。上端位置４２Ｂから下端位置４２Ａの側へ少し戻ると、保持面４６に載る位置（中間位置４２Ｃ）に案内される。ガイドピン４２が保持面４６に載ると、ガイドピン４２が下側から支持された状態になる。従って、ガイドピン４２を介して、リンク部材５０が下方に移動することが規制される。この結果、リンク部材５０が、開閉蓋ユニット３４を、開位置３４Ｂと閉位置３４Ａとの間の保持位置３４Ｃで支持する状態が形成される。
【００３３】
開閉蓋ユニット３４の保持位置３４Ｃは、図４に示すように、開位置３４Ｂから少しだけ閉じ方向（＋Ｙ方向）に回動し、リンク部材５０および開閉蓋ユニット３４が少しだけ斜め前方に傾いた位置である。また、リンク部材５０に連結されたロール紙ホルダー４１も、取り出し位置４１Ｂと収納位置４１Ａとの間のホルダー保持位置４１Ｃで保持される。ホルダー保持位置４１Ｃは、取り出し位置４１Ｂのわずかに下側の位置である。この状態では、ロール紙ホルダー４１にロール紙１２の自重が掛かっても、ロール紙ホルダー４１が下降することがなく、ロール紙ホルダー４１がホルダー保持位置４１Ｃで保持される。
【００３４】
（ガイドピンの係合解除動作）
上述したように、開閉蓋５が開位置５Ｂに位置し、開閉蓋ユニット３４が開位置３４Ｂに位置している状態では、ガイドピン４２が保持面４６の上に載った係合状態になっている。本形態では、開閉蓋ユニット３４を閉じる動作によって、ガイドピン４２と係合突起４５との係合状態が解除され、ガイドピン４２が係合突起４５の下側に移動するようになっている。
【００３５】
図２に示すように、リンク部材５０には、長孔５１の近傍で後方（−Ｙ方向）に突出する突出部５３が形成されている。突出部５３は、ピン接点５２の側へ向かうに従って後方（−Ｙ方向）への突出寸法が増大する傾斜面５４を備える。また、固定フレーム４３には、ガイド溝４４の後方（−Ｙ方向）側で、係合突起４５よりもわずかに上方（＋Ｚ方向）の位置に、突起４７が形成されている。突起４７は、固定フレーム４３からロール紙ホルダー４１およびリンク部材５０が配置されている側へ突出する。
【００３６】
リンク部材５０の下端部分は、開閉蓋ユニット３４が開くときには、ガイドピン４２が係合突起４５を乗り越える際に前方（＋Ｙ方向）に移動し、しかる後にガイド溝４４の上端の屈曲形状に沿って後方（−Ｙ方向）に移動するという軌跡を通る。このため、リンク部材５０の下端近傍に形成された突出部５３は、固定フレーム４３に形成された突起４７の近傍を通る際に、一旦前方（＋Ｙ方向）に移動する。従って、突出部５３は、突起４７に干渉することなく突起４７の上方に移動ことが可能である。開閉蓋５が開位置５Ｂに到達し、開閉蓋ユニット３４が開位置３４Ｂに到達したとき、突出部５３に形成された傾斜面５４が、固定フレーム４３に形成された突起４７の上方に位置する。
【００３７】
開閉蓋ユニット３４を閉じるときは、開閉蓋５を下側に回動させる動作を行う。これにより、リンク部材５０は、上端が前方（＋Ｙ方向）に倒れるように回動するので、リンク部材５０の下端近傍に形成された突出部５３は、その傾斜面５４が固定フレーム４３の突起４７に当接した状態でスライドし、突起４７を突出部５３が乗り越えるようにリンク部材５０が移動する。より詳しく述べると、開閉蓋ユニット３４が保持位置３４Ｃで保持された状態から、閉じ位置３４Ａに向けて移動開始する動作に伴って、リンク部材５０の突出部５３が突起４７を乗り越える。このリンク部材５０の動作は、突起４７を突出部５３が乗り越える際に一旦前方（＋Ｙ方向）に移動して、しかる後に後方（−Ｙ方向）に戻る係合解除動作である。この係合解除動作によって、リンク部材５０の長孔５１に係合されたガイドピン４２が前方（＋Ｙ方向）に移動して係合突起４５を乗り越え、係合突起４５の下側に移動する。これにより、係合突起４５とガイドピン４２との係合状態が解除される。従って、開閉蓋ユニット３４を閉じることが可能になる。
【００３８】
（作用効果）
以上のように、本形態のロール紙プリンター１は、ロール紙投入口４を開閉する開閉蓋ユニット３４の開動作に連動して、ロール紙ホルダー４１が、プリンターケース２の底部に近い収納位置４１Ａから、ロール紙投入口４の側に上昇した取り出し位置４１Ｂに移動する。取り出し位置４１Ｂは、外部から大きく手を入れずにロール紙１２を取り出し可能な位置である。従って、ロール紙１２を取り出すために、ロール紙ホルダー４１に手を入れる大きいスペースを設ける必要がなく、ロール紙１２の出し入れを小さいスペースで行うことができる。よって、ロール紙１２の交換時の作業性を維持しながら、ロール紙プリンター１を小型化することができる。また、このような機構を、リンク部材５０とガイド溝４４、ガイドピン４２等を用いた省スペースな機構で実現しているため、より小型化に有利である。
【００３９】
また、本形態では、開閉蓋ユニット３４が開位置３４Ｂからわずかに閉位置３４Ａの側に戻った保持位置３４Ｃに移動した状態で、ガイドピン４２がガイド溝４４の係合突起４５に係合してリンク部材５０の下降を規制する。従って、ロール紙ホルダー４１をホルダー保持位置４１Ｃで保持でき、ロール紙ホルダー４１にロール紙１２の自重が掛かっても、ロール紙ホルダー４１が収納位置４１Ａに下降してしまうことを回避できる。従って、ロール紙１２の交換作業を行うときの作業性が高まる。
【００４０】
さらに、本形態では、開閉蓋ユニット３４を閉じるときに、リンク部材５０に形成した突出部５３が固定フレーム４３の突起４７を乗り越えるようになっており、この係合解除動作によって、係合突起４５とガイドピン４２との係合状態が解除される。従って、ロール紙１２の交換を終えたとき、開閉蓋ユニット３４を閉じる動作を行うだけで、ロール紙ホルダー４１を取り出し位置４１Ｂで保持した状態を解除できる。
【００４１】
また、本形態のロール紙プリンター１は、設置場所の環境に合わせて、第１設置姿勢１Ａと第２設置姿勢１Ｂの２種類の姿勢のどちらでも使用可能であり、どちらの姿勢で設置しても、使用時の利便性を損なわない構成になっている。そして、どちらの姿勢で設置しても、開閉蓋ユニット３４を開けたときにロール紙ホルダー４１がロール紙投入口４の奥から手前側に移動するため、ロール紙１２を取り出すために、ロール紙ホルダー４１に大きく手を入れる必要がない。第１設置姿勢１Ａではロール紙１２を上方に取り出すことができ、第２設置姿勢１Ｂでは手前側にロール紙１２が転がり出すように設置できるので、どちらの姿勢でも、ロール紙の交換時の作業性を維持できる。
【符号の説明】
【００４２】
１…ロール紙プリンター（印刷装置）、１Ａ…第１設置姿勢、１Ｂ…第２設置姿勢、２…プリンターケース、３…記録紙排出口、４…ロール紙投入口、５…開閉蓋、５Ａ…閉位置、５Ｂ…開位置、６…前端部、７…開閉レバー、８…操作部、９…表示部、１０…ＮＦＣ通信部、１１…記録紙、１２…ロール紙、２１…第１面、２２…第２面、２３…第３面、２４…第４面、２５…第５面、２６…第６面、３０…記録紙切断機構、３１…プラテンローラー、３２…印刷ヘッド、３３…プラテン支持フレーム、３４…開閉蓋ユニット、３４Ａ…閉位置、３４Ｂ…開位置、３４Ｃ…保持位置、３５…繰り出しローラー、３６…紙案内部、３７…紙検出レバー、４０…ロール紙収納部、４１…ロール紙ホルダー、４１Ａ…収納位置、４１Ｂ…取り出し位置、４１Ｃ…ホルダー保持位置、４２…ガイドピン（移動軸）、４２Ａ…下端位置（第２位置）、４２Ｂ…上端位置（第１位置）、４２Ｃ…中間位置（第３位置）、４３…固定フレーム（フレーム）、４４…ガイド溝、４５…係合突起、４６…保持面、４７…突起、５０…リンク部材、５１…長孔、５２…ピン接点、５３…突出部、５４…傾斜面
【図１】
0006435848.tif 000002
【図２】
0006435848.tif 000003
【図３】
0006435848.tif 000004
【図４】
0006435848.tif 000005